(57)【要約】【課題】排気用の開口が設けられている表示装置において、その開口から水の進入のおそれを低減する技術を提供する。【解決手段】排気部３０は、後方に下がるように階段状に３段面に形成された傾斜面１２と、二つの傾斜面１２の間に設けられた開口１１とを備えている。さらに、傾斜面１２の前後方向の略中央には左右に延びる溝１３が形成されて、開口１１から水５０が内部に入り難い構造になっている。溝１３の溝下端部１３ａは、中央で一番高い位置に形成され、溝側端部１３ｂで一番低くなるように形成されて、溝１３に入った水５０が溝側端部１３ｂから排出されるようになっている。【選択図】図３
2011124625.tif 000002
【特許請求の範囲】
【請求項１】
上下方向に複数段に形成された放熱用の開口を備える表示装置のキャビネットであって、
前記開口を構成する形状は、後方が低くなるように前後方向に所定長さ形成された傾斜面と、
前記傾斜面において横方向に延びて形成された溝と
を備えていることを特徴とするキャビネット。
【請求項２】
前記傾斜面は、表示装置の上面部分において、後ろ方向に向かうにつれて低くなる階段状に形成され、
前記開口は、複数の前記傾斜面の間に形成されていることを特徴とする請求項１にキャビネット。
【請求項３】
前記溝は、端部が中央部分より低くなっていることを特徴とする請求項１または２に記載のキャビネット。
【請求項４】
前記溝は、キャビネット内部において凸状になっており、凸状部が表示装置内部の熱放出を促すように機能することを特徴とする請求項１から３までのいずれかに記載のキャビネット。
【請求項５】
請求項１から４までのいずれかに記載のキャビネットと、薄型表示パネルとを備えることを特徴とする表示装置。
【発明の詳細な説明】
【技術分野】
【０００１】
本発明は、キャビネット及び表示装置に係り、特に、排気用の開口が設けられているキャビネット及びそのようなキャビネットを備える表示装置に関する。
【背景技術】
【０００２】
一般に、テレビのキャビネットには放熱用の開口（放熱口）が設けられている。そして、近年一般的になっているテレビである薄型テレビでは、対流による自然放出の観点からキャビネット上部に放熱口が設けられることが多い。そのような構造の場合、上部から水をこぼすと容易にキャビネット内部に水が浸入してしまいテレビが故障してしまうおそれがある。当然、上部に放熱口が無ければキャビネット内部の温度が上昇してしまい、故障の原因となる。
【０００３】
そこで、キャビネット内部に水が進入しないように様々な技術が提案され採用されている。例えば、屋外で使用することを前提としたテレビにあって、金属キャビネットにて完全に内部を保護し、防水する技術がある（特許文献１参照）。そして、この技術では、同時に金属キャビネットにフィン構造をつけることによって放熱も実現している。また、電源のオンオフにあわせて、天井部に設けたスリットを開閉動作させる技術もある（特許文献２参照）。
【０００４】
また、図１（ａ）の側面図に示すように、テレビ１００のキャビネット１２０上面に設けられた排気部１３０を階段状にするとともに、段と段の間を開口１０１とし、さらに、段の面を傾斜面１０２として、内部に水１０５を進入しずらくさせた技術もあり、本願出願人の製品に採用されている。さらに、図１（ｃ）に示すように開口１０１に、傾斜面１０２からリブ（壁）１０３を若干延出させて、水１０５をより進入しずらくさせた技術もある。
【先行技術文献】
【特許文献】
【０００５】
【特許文献１】特開２００８−２７７９５７号公報
【特許文献２】特開２００６−３３０３９３号公報
【発明の概要】
【発明が解決しようとする課題】
【０００６】
ところで、特許文献１に開示の技術では、量産型のテレビにおいてはコストがかかりすぎ、また重量も重くなり、本技術を採用することは出来なかった。また、特許文献２に開示の技術では、電源がオンしているときは、スリットが開いているため、水が進入してしまう虞があり、対策としては不十分で別の技術が求められていた。また、構造的によりシンプルな技術に対する要望が強かった。また、図１（ａ）に示した技術では、シンプルな構造で上部からの防水に効果的に対応可能となっているが、図１（ｂ）に示すように、傾斜部１０２に水１０５が溜まり内部に侵入してしまうおそれもある。また図１（ｃ）の構造でも、水１０５が傾斜部に溜まって斜面上部を越えるとテレビ内部に侵入してしまうことから別の技術が求められていた。
【０００７】
本発明の目的は、このような状況に鑑みなされたものであって、上記課題を解決する技術を提供することにある。
【課題を解決するための手段】
【０００８】
本発明に係る装置は、上下方向に複数段に形成された放熱用の開口を備える表示装置のキャビネットであって、前記開口を構成する形状は、後方が低くなるように前後方向に所定長さ形成された傾斜面と、前記傾斜面において横方向に延びて形成された溝とを備えている。
また、前記傾斜面は、表示装置の上面部分において、後ろ方向に向かうにつれて低くなる階段状に形成され、前記開口は、複数の前記傾斜面の間に形成されてもよい。
また、前記溝は、端部が中央部分より低くなってもよい。
また、前記溝は、キャビネット内部において凸状になっており、凸状部が表示装置内部の熱放出を促すように機能してもよい。
本発明に係る別の装置は表示装置であって、上記のキャビネットと、薄型表示パネルとを備える。
【発明の効果】
【０００９】
本発明によれば、排気用の開口が設けられている表示装置において、その開口から水の進入のおそれを低減する技術を提供することができる。
【図面の簡単な説明】
【００１０】
【図１】従来技術における、テレビについて、キャビネットの上面に設けられた排気部に着目して模式的に示した図である。
【図２】本発明の実施形態に係る、テレビについて、キャビネットの上面に設けられた排気部に着目して模式的に示した図である。
【図３】本発明の実施形態に係る、テレビについて、水がかかったときの水の動きに着目して示した図である。
【図４】本発明の実施形態に係る、テレビの排気部の傾斜面を示した図である。
【図５】本発明の実施形態に係る、テレビについて、排出される空気（熱）の動きに着目して示した図である。
【図６】本発明の実施形態の変形例に係る、排気部の傾斜面の形状を模式的に示した図である。
【図７】本発明の実施形態の変形例に係る、排気部の傾斜面の形状を模式的に示した図である。
【図８】本発明の実施形態の変形例に係る、排気部の傾斜面の形状を模式的に示した図である。
【図９】本発明の実施形態の変形例に係る、排気部の形状を模式的に示した図である。
【発明を実施するための形態】
【００１１】
次に、本発明を実施するための形態を、図面を参照して具体的に説明する。本実施形態の特徴の概要は、テレビのキャビネットに設けられた排気口において、傾斜部に排水溝を設けて、傾斜部から内部に水が進入しないような構造にする。
【００１２】
図２は、本実施形態に係るテレビ１０について主にキャビネット２０の上面に設けられた排気部３０に着目して模式的に示した図である。図２（ａ）はテレビ１０の背面図であり、図２（ｂ）は、図２（ａ）の側端部（図示で左側端部）を示した図である。この排気部３０は、概ね図１の従来技術で示した排気部１３０と同様の構造を有しているが、異なる点は、主に傾斜面１２に溝１３を設けた点にある。また、図３は、図２に対応した構造のテレビ１０の上から水がかかったときの、水５０の動きに着目して示した図である。さらに、図４に傾斜面１２の形状を示している。なお、本実施形態における図面において、図面が煩雑になる場合には適宜符号を省略している。
【００１３】
具体的には、主に図２（ｂ）に示すように、排気部３０は、後方に下がるように階段状に３段で形成された傾斜面１２と、二つの傾斜面１２の間に設けられた開口１１とを備えている。図２（ａ）において開口１１は墨塗りで示している。さらに、傾斜面１２は、図２（ａ）や図３（ｂ）に示すように左右方向に伸びて、また、図２（ｂ）に示すように、後側が低くなるように形成されている。この構造によって、上からこぼれ落ちてきた水５０等が後側に流れ落ちるようになっている。さらに、傾斜面１２の前後方向の略中央には左右に伸びる溝１３が形成されて、開口１１から水５０が内部に入り難い構造になっている。ここでは、溝１３は断面Ｖ字形状であるが、この形状に限らず、例えば、断面Ｕ字形状であってもよい。また、２段目の溝１３と３段目の溝１３の深さは異なってもよいし、形状及び深さとも異なってもよい。
【００１４】
また、図４（ａ）〜（ｃ）に示すように、溝１３の深さは左右中央位置（Ａ−Ａ断面部分）で一番浅く、側方に向かうにつれて深くなり、左右端部である溝側端部１３ｂにおいて一番深くなっている。つまり、図４（ａ）及び（ｂ）の比較で分かるように、溝１３の溝下端部１３ａは、中央で一番高い位置に形成され、溝側端部１３ｂで一番低い位置になるように形成されて、溝１３に入った水５０が溝側端部１３ｂから排出されるようになっている。
【００１５】
そして、図３や図４に示すように、テレビ１０のキャビネット２０上部にこぼれた水５０は、傾斜面１２を伝わって、階段を下りるように下に落ちる。そして、上から落ちてきた水５０が開口１１に入り込まないように、傾斜面１２の前方側端部１２ａは、上の傾斜面１２の後方側端部１２ｂよりも前方側に入り込むような位置になっている。つまり、上面視で傾斜面１２の一部が重なるようになっている。また、２段目の傾斜面１２と三段目の傾斜面１２も同様の配置となっている。
【００１６】
そして、１段目の傾斜面１２から２段目の傾斜面１２に落ちてきた水５０は全て又は一部が溝１３に入り込み、溝１３に入った水５０は、溝側端部１３ｂに向かって流れ溝側端部１３ｂから排出される。２段目の傾斜面１２の溝１３に取り込まれなかった水５０は、３段目の傾斜面１２に伝わり、水５０の全部又は一部が溝１３に取り込まれ、溝１３を伝わって溝側端部１３ｂから排出される。
【００１７】
つぎに、傾斜面１２に設けた溝１３の排熱整流機能について説明する。図１で示したような形状の場合、傾斜面１０２のキャビネット１２０内部側の面が、空気（熱）を前方へ移動させるように作用し、開口１０１からの排熱効率が低下してしまう。一方、本実施形態では、図５（ａ）及び（ｂ）に示すように、溝１３がキャビネット２０の内部において突状になっている。その結果、溝１３が空気（熱）の移動方向を変え、開口１１の排熱効率を向上させることができる。
【００１８】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。以下、変形例について説明する。
【００１９】
図６は、傾斜面２１２の変形例を示す。この傾斜面２１２は、溝２１３を左右方向に一直線にするのではなく、中央から側方端部に向かうに従って、後方向に向かうように若干斜めに形成されている。このような構造とすることで、側方端部に向かうにしたがって、溝２１３において中央の方から伝わった水と上からこぼれ落ちてきた水とが合流し量が増えて溝２１３から溢れてしまう場合であっても、内部（前側）ではなく外部（後側）にこぼれやすくすることができる。なお、２段目の傾斜面２１２は図２等の形状とし、３段目の傾斜面２１２を本変形例の形状としてもよい。
【００２０】
また、図７（ａ）〜（ｃ）の変形例に係る傾斜面３１２を示している。図７（ａ）の傾斜面３１２は、傾斜面３１２の面を溝３１３（溝下端部３１３ａ）の左右方向の傾斜にあわせて、中央から側端面に向かうに従って低くなるような形状となっている。
【００２１】
さらに、図７の変形例を図８に示す。図８（ａ）がキャビネット（テレビ）４２０の背面図で、図８（ｂ）が左右中央の断面図であり、図８（ｃ）が左右の端部の断面構造を示している。図示のように、２段目の傾斜面４１２の溝４１３は左右方向全部に形成され、３段目の傾斜面の溝４１３では、図８（ａ）及び図８（ｂ）に示すように中央の領域にのみ形成され、図８（ａ）及び図８（ｃ）に示すように左右の端部側には形成されていない。
【００２２】
これら変形例に係る溝２１３〜４１３が形成される態様は、溝２１３〜４１３の下に設けられる各種の端子等の配置にあわせて、それら端子等に水かがかからないように適宜選択されればよい。
【００２３】
さらに、図９（ａ）は、別の変形例の排気部５３０を有するテレビ５１０を示しており、図９（ｂ）はキャビネット５２０に設けられた排気部５３０を拡大した図で、図９（ｃ）は排気部５３０の断面図である。この排気部５３０、キャビネット５２０の背面に形成されており、階段状ではなく、同一垂直面に開口５１１が形成されている。ここでは、上下に３段形成されている。さらに、開口５１１の底面部分は傾斜面５１２で形成されている。そして、傾斜面５１２には、左右方向に延びる排水用の溝５１３が形成されている。ただし、溝５１３は外に排出するために、途中から後方側に曲り、溝５１３の一方の端部である排水部５１４をキャビネット後面まで延出させ外部に露出させている。また、それぞれの排水部５１４は、互いに左右方向の位置が重ならないようになっており、１段目の溝５１３は概ね開口５１１の幅方向全長に亘って形成され、開口５１１の図示左側端部近傍で曲がって排水部５１４が形成されている。一方、一番下側である３段目の溝５１３は、左右方向の略中央から右側に形成されている。そして、真ん中の２段目の５１３の排出部は、１段目と２段目の各排水部５１４の左右中間位置に配置されている。このような構成によって、溝５１３に入り込んだ水が適切に排出される。
【符号の説明】
【００２４】
１０、５１０  テレビ
１１、５１１  開口
１２、２１２、３１２、４１２、５１２  傾斜面
１３、２１３、３１３、４１３、５１３  溝
１３ａ  溝下端部１３
１３ｂ  溝側端部１３
２０、５２０  キャビネット
３０、５３０  排気部
５１４  排水部
【図１】
2011124625.tif 000003
【図２】
2011124625.tif 000004
【図３】
2011124625.tif 000005
【図４】
2011124625.tif 000006
【図５】
2011124625.tif 000007
【図６】
2011124625.tif 000008
【図７】
2011124625.tif 000009
【図８】
2011124625.tif 000010
【図９】
2011124625.tif 000011